(57)【特許請求の範囲】
【請求項１】
内側が中空に形成される方立と、
前記方立の側面に連結され、その内側が中空に形成される複数の横枠と、
前記方立の内側に配置される補強材と、
を備える枠ユニットであって、
前記複数の横枠は、前記方立の上部に連結される上枠及び下部に連結される下枠を少なくとも含み、
前記補強材は、
前記上枠に対応する位置から前記下枠に対応する位置まで延びており、
前記方立の内側における前記上枠に対応する位置で前記補強材を貫通した状態で前記上枠の中空部に達する上側締結部材と、
前記方立の内側における前記下枠に対応する位置で前記補強材を貫通した状態で前記下枠の中空部に達する下側締結部材と、
によって少なくとも上下２箇所で前記方立の内側に固定され、
前記方立と前記横枠を連結する構造と、前記方立の内側に補強材を連結する構造と、が独立したものになる枠ユニット。
【請求項２】
前記横枠は、
前記上側締結部材の締結位置又は前記下側締結部材の締結位置又はその両方に対し、見込方向の位置が異なる位置で前記方立の側面を貫通する横枠締結部材によって前記方立の側面に連結され、
前記補強材は、
前記横枠締結部材における前記方立の内側に残る部分よりも内側で前記方立に固定される請求項１に記載の枠ユニット。
【発明の詳細な説明】
【技術分野】
【０００１】
本発明は、方立、横枠及び補強材を備える枠ユニットに関する。
【背景技術】
【０００２】
従来から、枠ユニットにおいて、横枠が連結される方立の内側に補強材を固定する技術が知られている。この種の技術を開示するものとして例えば特許文献１がある。特許文献１には、縦枠材の一側縦板、他側縦板に一側凹部、他側凹部をそれぞれ形成し、補強材の一側片の端部を一側凹部に嵌め込み、他側片の端部を他側凹部に嵌め込む補強構造に関する技術が開示されている。
【先行技術文献】
【特許文献】
【０００３】
【特許文献１】特開平９−１２５８２７号公報
【発明の概要】
【発明が解決しようとする課題】
【０００４】
特許文献１に開示される補強構造では、補強材の端部を差し込む凹部を方立の内側に形成する必要があることに加え、補強材を固定するための補助的な構造が設けられている。例えば、特許文献１の第１実施例では、補強材を支持するためにビスを螺合する中間連結板を内側に形成する必要がある。第２実施例では、補助ヒレ片をドライバー等の工具を用いて折り曲げて補強材を固定する必要がある。何れの実施例においても、補強材を補助的に支持する構造が必要となり、方立の構造をシンプルにして枠ユニットを組み立てる作業を容易にするという点で改善の余地があった。
【０００５】
本発明は、補強材を方立の内側に固定する作業を容易に行うことができるシンプルな構造の枠ユニットを提供することを目的とする。
【課題を解決するための手段】
【０００６】
本発明は、内側が中空に形成される方立（例えば、後述の方立２３）と、前記方立の側面に連結され、その内側が中空に形成される複数の横枠（例えば、後述の上枠２１、無目２４及び巾木部２２）と、前記方立の内側に配置される補強材（例えば、後述の補強材９）と、を備える枠ユニット（例えば、後述のサッシユニット１）であって、前記複数の横枠は、前記方立の上部に連結される上枠（例えば、後述の上枠２１）及び下部に連結される下枠（例えば、後述の巾木部２２）を少なくとも含み、前記補強材は、前記上枠に対応する位置から前記下枠に対応する位置まで延びており、前記方立の内側における前記上枠に対応する位置で前記補強材を貫通した状態で前記上枠の中空部に達する上側締結部材（例えば、後述のビス９０ａ）と、前記方立の内側における前記下枠に対応する位置で前記補強材を貫通した状態で前記下枠の中空部に達する下側締結部材（例えば、後述のビス９０ｂ）と、によって少なくとも上下２箇所で前記方立の内側に固定される枠ユニットに関する。
【０００７】
前記横枠は、前記上側締結部材の締結位置（例えば、後述の締結位置９１ａ）又は前記下側締結部材の締結位置（例えば、後述の締結位置９１ｂ）又はその両方に対し、見込方向の位置が異なる位置で前記方立の側面を貫通する横枠締結部材（例えば、後述のビス８３ａ〜ｈ）によって前記方立の側面に連結され、前記補強材は、前記横枠締結部材における前記方立の内側に残る部分（例えば、後述の頭部８３１ａ、８３１ｂ，８３１ｅ）よりも内側で前記方立に固定されることが好ましい。
【発明の効果】
【０００８】
本発明によれば、補強材を方立の内側に固定する作業を容易に行うことができるシンプルな構造の枠ユニットを提供できる。
【図面の簡単な説明】
【０００９】
【図１】本発明の一実施形態に係るサッシユニットを屋内側から見た姿図である。
【図２】本実施形態のサッシユニットの縦断面図である。
【図３】本実施形態のサッシユニットの方立の拡大横断面図である。
【図４】本実施形態の補強材の締結位置を示す方立の縦断面図である。
【図５】変形例の補強材の締結位置を示す方立の縦断面図である。
【発明を実施するための形態】
【００１０】
以下、本発明の一実施形態について、図面を参照しながら説明する。なお、本明細書において、「見付方向」とは、建物に形成された開口部に納められたサッシユニットの横枠（上枠、無目、巾木部等）の長手方向（即ち、ガラスや障子の面内方向）を意味し、「見込方向」とは、屋内外方向（即ち、奥行き方向）を意味する。
【００１１】
図１は、本実施形態に係るサッシユニット１を屋内側から見た姿図である。図２は、サッシユニット１の縦断面図であって、図１のＡ−Ａ線断面図である。なお、図２において、紙面左側が屋外側であり、右側が屋内側である。
【００１２】
図１に示すように、サッシユニット１は、店舗等の建築物に用いられるものであり、建築物に形成された開口に取り付けられる枠体２を備える枠ユニットである。
【００１３】
枠体２は、上枠２１と、下枠としての巾木部２２と、左右両側の縦枠（図示省略）と、方立２３と、無目２４と、を備える。枠体２は、全体としては矩形に枠組みされている。枠体２の内側の空間は、方立２３によって見付方向に複数の開口部に区画されるとともに、無目２４によって複数の開口部のそれぞれが上下方向に区画される。区画された上段の開口部にはＦＩＸ窓６１が納められ、下段の開口部にはＦＩＸ窓６２が納められる。
【００１４】
図２に示すように、上枠２１は、屋内側に配置される上方に開放された断面略Ｕ字状である上枠本体部２１１と、上枠本体部２１１から屋外側に延設される上枠ガラス保持部２１２と、上枠ガラス保持部２１２から屋外側に延設される上枠延設部２１３と、を備える。
【００１５】
上枠本体部２１１は、内側に形成されかつ上枠２１の長手方向に延びる溝部２１１ａ，２１１ｂを備える。溝部２１１ａ，２１１ｂは、上枠本体部２１１の内側の下部に配置される。溝部２１１ａ，２１１ｂは、いずれも見付方向の方立２３側から方立２３を連結するためのビス８３ａ，８３ｂが差し込まれるネジ受けとなる（図４参照）。
【００１６】
上枠ガラス保持部２１２は、ＦＩＸ窓６１を構成するガラス６１ａの上端部を保持する溝２１２ａが形成される。
【００１７】
無目２４は、屋内側に配置されかつ中空部を備えるホロー構造である無目本体部２４１と、無目本体部２４１から屋外側に延設される無目ガラス保持部２４２と、無目ガラス保持部２４２に係止されるガラス保持部材２４３と、を備える。
【００１８】
無目本体部２４１は、内側に形成されかつ無目２４の長手方向に延びる溝部２４１ａ，２４１ｂ，２４１ｃを備える。溝部２４１ａは、無目本体部２４１の内側の上部に配置され、溝部２４１ｂは内側の下部に配置される。溝部２４１ｃは、内側上部の屋内側の角に配置される。溝部２４１ａ，２４１ｂ，２４１ｃは、いずれも見付方向の方立２３側から方立２３を連結するためのビス８３ｃ，８３ｄ，８３ｅが差し込まれるネジ受けとなる（図４参照）。
【００１９】
無目ガラス保持部２４２は、ＦＩＸ窓６２を構成するガラス６２ａの上端部を保持する溝２４２ａが形成される。無目ガラス保持部２４２の上部の屋外側には、ガラス保持部材２４３を嵌合する嵌合部２４２ｂが形成される。
【００２０】
ガラス保持部材２４３は、嵌合部２４２ｂに嵌合される。無目２４及びガラス保持部材２４３によって、ガラス６１ａの下端部を保持する溝２４３ａが形成される。
【００２１】
ガラス６１ａは単板ガラスであり、上枠２１と無目２４の間で保持される。ガラス６１ａの保持について説明する。ガラス６１ａは、溝２４３ａの内部に配置される支持部材６１ｂによって下から支持される。ガラス６１ａの下端部は、溝２４３ａ内において、バックアップ材６１ｃ，６１ｃによって挟まれる。更にバックアップ材６１ｃ，６１ｃの上方には、シール材６１ｄ，６１ｄが塗工される。ガラス６１ａの上端部は、溝２１２ａ内において、バックアップ材６１ｆ，６１ｆによって挟まれる。更にバックアップ材６１ｆ，６１ｆの下方には、シール材６１ｅ，６１ｅが塗工される。
【００２２】
巾木部２２は、中空部を備えるホロー構造である巾木本体部２２１と、巾木本体部２２１に係止されるガラス保持部材２２２と、を備える。
【００２３】
巾木本体部２２１の屋内側には、上から下に進むにつれて屋内側に近づくように傾斜する傾斜部２２１ａと、傾斜部２２１ａの下端から直下方向に延びるビス取付部２２１ｂと、が形成される。
【００２４】
巾木本体部２２１の屋外側の下端には、後述する補助枠２５に嵌合する嵌合部２２１ｃが形成される。巾木本体部２２１の屋外側の上端には、ガラス保持部材２２２を嵌合する嵌合部２２１ｄが形成される。
【００２５】
巾木本体部２２１の内側には、巾木部２２の長手方向に延びる溝部２２１ｅ，２２１ｆ，２２１ｇが形成される。溝部２２１ｅは、内側であって屋内側の上端に配置され、溝部２２１ｆは、内側であって屋内側の溝部２２１ｅとビス取付部２２１ｂの間に配置される。溝部２２１ｇは、内側の下部に配置される。溝部２２１ｅ，２２１ｆ，２２１ｇは、いずれも見付方向の方立２３側から方立２３を連結するためのビス８３ｆ，８３ｇ，８３ｈが差し込まれるネジ受けとなる（図４参照）。
【００２６】
ガラス保持部材２２２は、嵌合部２２１ｄに嵌合される。巾木本体部２２１及びガラス保持部材２２２によって、ガラス６２ａの下端部を保持する溝２２２ａが形成される。
【００２７】
ガラス６２ａは単板ガラスであり、無目２４と巾木部２２の間で保持される。ガラス６２ａの保持について説明する。ガラス６２ａは、溝２２２ａの内部に配置される支持部材６２ｆによって下から支持される。ガラス６２ａの下端部は、溝２２２ａ内において、バックアップ材６２ｇ，６２ｇによって挟まれる。更にバックアップ材６２ｇ，６２ｇの上方には、シール材６２ｈ，６２ｈが塗工される。ガラス６２ａの上端部は、溝２４２ａ内において、バックアップ材６２ｊ，６２ｊによって挟まれる。更にバックアップ材６２ｊ，６２ｊの下方には、シール材６２ｉ，６２ｉが塗工される。
【００２８】
以上説明した上枠２１、無目２４及び巾木部２２は、例えば、アルミニウムを押し出し成型することによって形成することができる。次に、巾木部２２が固定される補助枠２５について説明する。
【００２９】
補助枠２５は、アンカー２６に取り付けられる下方に開放された断面略Ｕ字状である補助枠本体部２５１と、巾木本体部２２１と補助枠本体部２５１の間に配置されるパッキン部材２５２と、を備える。
【００３０】
補助枠本体部２５１は、その下部の開放端のそれぞれに内側に折れ曲がる爪部２５１ａが形成されており、これらの爪部２５１ａがアンカー２６に差し込まれる。
【００３１】
補助枠本体部２５１の屋外面２５１ｂは、下端から直上に延出した後、屋外側の設置ラインＬに差し掛かったところで屋内側に傾斜し、再び直上に延出するように形成される。
【００３２】
補助枠本体部２５１の屋外面２５１ｂの上部には、屋外側に延出する差込部２５１ｃが形成される。差込部２５１ｃは、巾木本体部２２１の嵌合部２２１ｃに嵌合する部位となる。本実施形態の差込部２５１ｃは、屋外側に水平方向に延出してからいったん上側に傾斜し、再び水平方向に延出するように形成されている。そして、差込部２５１ｃの上面と巾木本体部２２１の下面との間には、隙間２５１ｄが形成されている。
【００３３】
補助枠本体部２５１の屋内面２５１ｅは、下端から上端まで直上に延出するように形成される。また、屋内面２５１ｅの上部には、屋内側に延出した後、上方に屈曲する立ち上がり部２５１ｆが形成される。立ち上がり部２５１ｆは、巾木部２２が補助枠２５に取り付けられた状態で、ビス取付部２２１ｂに対面するように形成される。立ち上がり部２５１ｆには、ビス２５３を取り付ける取付孔（図示省略）が形成されている。
【００３４】
また、補助枠本体部２５１は、内側に形成されかつ補助枠本体部２５１の長手方向に延びる溝部２５１ｇが形成される。
【００３５】
パッキン部材２５２は、補助枠２５と巾木部２２の隙間２５１ｄに配置される。パッキン部材２５２は、いわゆる乾式パッキンである。パッキン部材２５２は、その形状が扁平かつ細長に形成されており、その長手方向が見付方向を向いた状態で補助枠２５に固定されている。
【００３６】
次に、方立２３について説明する。図３は、本実施形態のサッシユニット１が備える方立２３の拡大横断面図である。図３では、方立２３の内側とともに上枠２１の内側の様子が示されている。また、図３において、紙面上側が屋外側であり、下側が屋内側である。図４は、本実施形態の補強材９の締結位置９１ａ，９１ｂを示す方立の縦断面図であって、図３のＢ−Ｂ線断面図である。
【００３７】
方立２３は、ＦＩＸ窓６１及びＦＩＸ窓６２の縦材を構成する。図３に示すように、方立２３は、屋内側から見て、右側に配置される第１方立部材２３１と、左側に配置される第２方立部材２３２と、を備える。
【００３８】
第１方立部材２３１は、第１方立本体部３１１と、第１方立本体部３１１の屋外側に設けられかつガラス６１ａの屋内側から見て左側の側端部が挿入されて保持される溝３１２ｄが形成される第１保持部３１２と、を備える。
【００３９】
第１方立本体部３１１は、後述するビス９０ａの螺合される孔の周囲において第２方立部材２３２側に突出して形成される凸部３１１ａを備える。凸部３１１ａの先端面は、補強材９に対向している。
【００４０】
第１保持部３１２は、第１方立本体部３１１から見込方向（屋外側）に延出される第１方立見込部３１２ａと、第１方立見込部３１２ａの先端から見付方向（屋内側から見て右側）に延設される第１方立見付部３１２ｂと、第１方立見込部３１２ａの先端から第１方立見付部３１２ｂの延びる方向とは反対側（屋内側から見て左側）に突出する突出部３１２ｃと、を備える。
【００４１】
第１方立見込部３１２ａは、後述するビス８２の螺合される孔の周囲において第２方立部材２３２側に突出して形成される凸部３１２ｅを備える。
【００４２】
第２方立部材２３２は、第２方立本体部３２１と、第２方立本体部３２１の屋外側に設けられかつガラス６２ａの屋内側から見て右側の側端部が挿入されて保持される溝３２２ｃが形成される第２保持部３２２と、を備える。
【００４３】
第２保持部３２２は、第２方立本体部３２１から見込方向（屋外側）に延出される第２方立見込部３２２ａと、第２方立見込部３２２ａの先端から見付方向（屋内側から見て左側）に延設される第２方立見付部３２２ｂと、を備える。
【００４４】
第２方立見込部３２２ａは、第１方立部材２３１側に形成される凹部３２２ｄと、後述するビス８２の螺合される孔の周囲において第１方立部材２３１側に突出して形成される凸部３２２ｅと、を備える。凹部３２２ｄには、気密材３１５が収容される。凸部３２２ｅは、凸部３１２ｅに対向する位置関係にある。
【００４５】
隣り合う一対のガラス６１ａ，６１ａは、それぞれ溝３１２ｄ，３２２ｃに対向する側端部が挿入されて保持される。溝３１２ｄと溝３２２ｃとでは、溝３２２ｃの方が深い溝に形成される。
【００４６】
ガラス６１ａの屋内側から見て左側の端部は、溝３１２ｄ内において、バックアップ材６２ｂ，６２ｂによって挟まれる。更にバックアップ材６２ｂ，６２ｂの右側には、コーキング材６２ｃ，６２ｃが塗工される。ガラス６１ａの屋内側から見て右側の端部は、溝３２２ｃ内において、バックアップ材６２ｄ，６２ｄによって挟まれる。更にバックアップ材６２ｄ，６２ｄの左にもコーキング材６２ｃ，６２ｃが塗工される。
【００４７】
締結部材としてのビス８２によって第１方立見込部３１２ａと第２方立見込部３２２ａが連結されている。本実施形態では、ビス８２は、方立２３の長手方向に所定の間隔をあけて複数締結されている。本実施形態の第１方立本体部３１１及び第２方立本体部３２１は、組み合わされた状態で断面長方形の筒状に形成される。
【００４８】
以上のように構成される方立２３には、横枠としての上枠２１、巾木部２２及び無目２４が連結されている。上枠２１は、ビス８３ａ，８３ｂによって方立に連結される。方立２３の右側に連結される上枠２１は、第１方立本体部３１１の内側から挿入されるビス８３ａ，８３ｂが右側の上枠２１の内側に形成される溝部２１１ａ，２１１ｂのそれぞれに螺入されることで方立２３と連結される。方立２３の左側に連結される上枠２１は、第２方立本体部３２１の内側から挿入されるビス８３ａ，８３ｂが左側の上枠２１の内側に形成される溝部２１１ａ，２１１ｂのそれぞれに螺入されることで方立２３と連結される。
【００４９】
図４に示すように、巾木部２２についても同様に、方立２３の内側から挿入される８３ｆ，８３ｇ，８３ｈが巾木部２２の内側に形成される溝部２２１ｅ，溝部２２１ｆ，溝部２２１ｇのそれぞれに螺入されることで方立２３に連結される。また、無目２４についても同様に、方立２３の内側から挿入される８３ｃ，８３ｄ，８３ｅが無目２４の内側に形成される溝部２４１ａ，溝部２４１ｂ，溝部２４１ｃのそれぞれに螺入されることで方立２３に連結される。
【００５０】
本実施形態のサッシユニット１は、方立２３を補強する補強材９を更に備える。次に、補強材９について説明する。補強材９は、断面略Ｕ字状に形成されており、方立２３内を上下方向に延びる。補強材９は、例えばアルミよりも強度が高いＳＵＳやスチール等の材料で折り曲げ加工により所定の形状に形成される。
【００５１】
図４に示すように、補強材９は、締結部材としてのビス９０ａ，９０ｂによって上下２箇所で方立２３に固定される。
【００５２】
補強材９を上側で締結するビス９０ａの締結位置９１ａは、方立２３の上部に連結される上枠２１の中空部分に対応するように設定される。図３に示すように、ビス９０ａの先端部は、上枠２１の内側に位置する。従って、ビス９０ａの先端は、外側から視認できない状態となる。
【００５３】
補強材９を下側で締結するビス９０ｂの締結位置９１ｂは、方立２３の下部に連結される巾木部２２の中空部分に対応するように設定される。下側においても、ビス９０ｂの先端部は、巾木本体部２２１の中空部分の内側に位置し、外側から視認できない状態となる。
【００５４】
図３に示すように、補強材９は、ビス９０ａ，９０ｂにより、第１方立本体部３１１の凸部３１１ａに当接した状態で第１方立本体部３１１の内側面に連結固定される。補強材９が第１方立本体部３１１に連結された状態では、第１方立本体部３１１との間に見付方向で隙間が形成される。この隙間は、巾木部２２及び無目２４を方立２３に連結するビス８３ａ〜ｈの頭部（例えば、頭部８３１ａ，８３１ｂ，８３１ｅ）の厚みよりも若干大きくなっている。
【００５５】
図４に示すように、第１方立本体部３１１の内側面に連結された補強材９を方立２３の内側から見た場合、横枠としての上枠２１、巾木部２２及び無目２４を方立２３に連結するビス８３ａ〜ｈのそれぞれが補強材９の裏側に位置する状態となる。
【００５６】
ビス９０ａ，９０ｂとビス８３ａ〜ｈの位置関係について説明する。ビス９０ａ，９０ｂは、補強材９の見込方向の略中央で締結されており、それぞれ異なる高さで見込方向の位置が一致している。一方、ビス８３ａ〜ｈは、ビス９０ａ，９０ｂに対して見込方向の屋外側又は屋内側の何れかに位置するようになっている。
【００５７】
より具体的には、ビス８３ａ，８３ｃ，８３ｄ，８３ｆ，８３ｈは、それぞれ異なる高さで見込方向の位置がビス９０ａ，９０ｂよりも屋外側で一致している。これらのビス８３ａ，８３ｃ，８３ｄ，８３ｆ，８３ｈにより、補強材９の屋外側が第１方立本体部３１１側に傾こうとしても、その動きが規制される（図３参照）。
【００５８】
ビス８３ｅ，８３ｇは、それぞれ異なる高さで見込方向の位置がビス９０ａ，９０ｂよりも屋外側で一致している。また、ビス８３ｂは、ビス８３ｅ，８３ｇよりも更に屋外側に位置している。これらのビス８３ｅ，８３ｇ，８３ｂにより、補強材９の屋内側が第１方立本体部３１１側に傾こうとしてもその動きが規制される。
【００５９】
本実施形態では、ビス８３ａ〜ｈがビス９０ａ，９０ｂの見込方向の両側に配置されることに加え、上下方向の位置も異なるので、補強材９の見込み方向に対する傾きだけでなく捩れる動きも規制できる。このように、ビス８３ａ〜ｈの頭部は転び防止材として方立２３の内側で機能する。
【００６０】
以上説明してきたように、本実施形態によれば、以下の効果が奏される。
即ち、本実施形態のサッシユニット１は、内側が中空に形成される方立２３と、方立２３の側面に連結され、その内側が中空に形成される上枠２１、無目２４及び巾木部２２と、方立２３の内側に配置される補強材９と、を備える。補強材９は、上枠２１に対応する位置から巾木部２２に対応する位置まで延びており、方立２３の内側における上枠２１に対応する位置で補強材９を貫通した状態で上枠２１の中空部に達するビス９０ａと、方立２３の内側における巾木部２２に対応する位置で補強材９を貫通した状態で巾木部２２の中空部に達するビス９０ｂと、によって上下２箇所で方立２３の内側に固定される。
【００６１】
これにより、方立２３と横枠（上枠２１及び巾木部２２）を連結する構造と、方立２３の内側に補強材９を連結する構造と、が独立したものになり、補強材９を方立２３の内側に固定するための構造をシンプルにできる。従って、方立２３の内側に補強材９を連結する作業も容易になる。また、上下２箇所でも補強材９を固定できるようになるので、剛性が要求される補強材９の加工数を少なくして製造コストを低減できる。更に、補強材９を固定するビス９０ａ，９０ｂの先端が外部から視認できない上枠２１の内側及び巾木部２２の内側に納まるので意匠性を損なうこともない。
【００６２】
上枠２１、無目２４及び巾木部２２は、ビス９０ａの締結位置９１ａ，ビス９０ｂの締結位置９１ｂの両方に対し、見込方向の位置が異なる位置で方立２３の側面を貫通するビス８３ａ〜ｈによって方立２３の側面に連結される。補強材９は、ビス８３ａ〜ｈにおける方立２３の内側に残る頭部（例えば、頭部８３１ａ、８３１ｂ，８３１ｅ）よりも内側で方立２３に固定される。
【００６３】
これにより、ビス８３ａ〜ｈの頭部により、方立２３の内側で補強材９が見込方向に対して傾く動きが規制される。従って、補強材９が適切な位置でより安定して方立２３に固定される。
【００６４】
以上、本発明の枠ユニットの好ましい一実施形態について説明したが、本発明は、上述の実施形態に制限されるものではなく、適宜変更が可能である。
【００６５】
上記実施形態では、締結位置９１ａ，９１ｂが上下２箇所の例を示したが、補強材９を方立２３に固定する締結位置の数は、上下２箇所に限定されず、３箇所以上とすることもできる。次に、締結位置が３箇所の変形例を説明する。なお、以下の説明では、上記実施形態と同様の構成については同じ符号を付してその説明を省略することがある。
【００６６】
図５は、変形例の補強材９の締結位置９１ａ，９１ｂ，９１ｃを示す方立２３の縦断面図である。図５に示すように、変形例では、上下２箇所に加えて無目２４の位置に対応する締結位置９１ｃが設定されており、該締結位置９１ｃにビス９０ｃが方立２３の内側から補強材９を貫通した状態で締結されている。ビス９０ｃの先端は、第１方立部材２３１を突き抜けて無目本体部２４１の内側の中空部まで達している。
【００６７】
この変形例で追加された締結位置９１ｃにおいても、締結部材としてのビス９０ｃの先端が無目２４の内側に位置し、外部から視認できない状態となっている。即ち、意匠性を低下させることなく補強材９の固定をより強固なものにすることができる。
【００６８】
このように、補強材９を締結する締結位置の数は、事情に応じて適宜変更することができる。なお、変形例で示したように、上下２箇所に加えて締結位置を追加する場合は、締結位置を横枠の位置に対応させ、方立の内側から補強材を貫通した状態で横枠の内側に達するビスで補強材を方立に固定することが好ましい。
【００６９】
上記実施形態で説明した方立２３の構成は適宜変更することができる。例えば、方立２３を、屋内側から見て、図３とは左右対称の構造にしてもよい。つまり、第１方立部材２３１と第２方立部材２３２は左右逆に配置してもよい。また、補強材９についても、屋内側から見て、図３及び図４とは左右対称の構造にしてもよい。
【００７０】
上記実施形態では、方立２３を含む枠体にガラス６１ａ，６２ａが納められるものとしたがこれに限定されず、例えば引違い戸やすべり出し窓等の障子を開口部に納める構成としてもよい。
【００７１】
上記実施形態では、補強材９の形状は、断面略Ｕ字状に構成されているが、この構成に限定されない。例えば、断面形状がＬ字状の補強材や平板状に形成される補強材にも本発明を適用することができる。
【００７２】
上記実施形態では、ビス８３ａ〜ｈのそれぞれがビス９０ａ〜ｃに対して見込方向の位置が異なっているが、この構成に限定されない。例えば、横枠締結部材としての複数のビスのうちの一部が、上側締結部材又は下側締結部材としてのビスと見込方向の位置が一致する構成としてもよい。このように締結部材の配置は、事情に応じて適宜変更できる。
【符号の説明】
【００７３】
１  サッシユニット（枠ユニット）
２１  上枠（横枠）
２２  巾木部（横枠、下枠）
２４  無目（横枠）
８３ａ〜ｈ  ビス（横枠締結部材）
９０ａ  ビス（上側締結部材）
９０ｂ  ビス（下側締結部材）
【図１】
0006505564.tif 000002
【図２】
0006505564.tif 000003
【図３】
0006505564.tif 000004
【図４】
0006505564.tif 000005
【図５】
0006505564.tif 000006